(57)【要約】  弾性部材を両シート材間に挟み両シート材を接合して形成される複合伸縮部材において、弾性部材が切断される可能性が少ない複合伸縮部材を提供する。  複合伸縮部材1は、長尺の２枚のシート材2、2aを、長手方向を揃えて重ね、両シート材2、2aの長手方向に沿って延びた複数本の弾性部材3を互いに略平行に両シート材2、2a間に挟んで形成される。両シート材2、2aは、該シート材2、2aの長手方向に直交する向きに沿って連続的に塗布されたホットメルト材からなる接合部4にて互いに接合される。該接合部4は前記複数本の弾性部材3を通る。両シート材2、2a上にて隣り合う接合部4間には、弾性部材3の収縮作用によって、該シート材2、2aの長手方向に直交し前記複数本の弾性部材3に亘って延びた複数本の襞40が形成されている。
2014010340.tif 000002
【特許請求の範囲】
【請求項１】
長尺の２枚のシート材を、長手方向を揃えて重ね、両シート材の長手方向に沿って延びた複数本の弾性部材を互いに略平行に両シート材間に挟んで形成される複合伸縮部材であって、
両シート材は、該シート材の長手方向に直交する向きに沿って連続的に塗布されたホットメルト材からなる複数の接合部にて互いに接合され、該接合部は前記複数本の弾性部材を通り、
両シート材上にて隣り合う前記接合部間には、前記弾性部材の収縮作用によって、該シート材の長手方向に直交し前記複数本の弾性部材に亘って延びた複数本の襞が形成されている、複合伸縮部材。
【請求項２】
前記複数の接合部は、互いに略平行となるように設けられた、請求項１に記載の複合伸縮部材。
【請求項３】
前記複数本の弾性部材は、長手方向の両端部が前記両シート材に固定されている、請求項１又は２に記載の複合伸縮部材。
【請求項４】
長尺の２枚のシート材と、両シート材の長手方向に沿って延びた複数本の弾性部材を用意し、一方のシート材上に、該シート材の長手方向に直交する向きに沿ってホットメルト材を連続的に塗布し、接合部を形成する工程と、
伸長状態の複数本の弾性部材を該一方のシート材の長手方向に向け、該弾性部材が接合部を通るように、該一方のシート材上に載置する工程と、
該一方のシート材上に他方のシート材を、長手方向を揃えるように重ねて、前記両シート材を接合する工程を含む、複合伸縮部材の製造方法。
【請求項５】
周縁部内側が装着者の胴回りに接するウエスト開口部を有する着用物品であって、
請求項１乃至３の何れかに記載の複合伸縮部材を、前記ウエスト開口部及び/又は胴回り部の周縁部に設けてウエストギャザー及び/又は胴回りギャザーを構成した、着用物品。
【請求項６】
内側が装着者の腰部に接するサイドパネルを有する着用物品であって、
前記サイドパネルとして、請求項１乃至３の何れかに記載の複合伸縮部材を、用いて胴回りギャザーを構成した、着用物品。
【請求項７】
外包シートを有し、該外包シートには装着者の脚が挿入されるレッグ開口部と、周縁部内側が装着者の胴部に接するウエスト開口部とが設けられ、該外包シートの内側には長尺の吸収体が設けられ、前記ウエスト開口部及び/又は胴回り部の周縁部に請求項１乃至３の何れかに記載の複合伸縮部材が用いられた着用物品の製造方法であって、
前記吸収体を複数用意し、且つ外包シートとなる帯状体を用意する工程と、
各吸収体の長手方向を帯状体の長手方向に直交するように向ける工程と、
前記帯状体の少なくとも両側部は、該複合伸縮部材により形成されるとともに、該帯状体の内側に、前記複数の吸収体本体を互いに離間した状態で接合する工程と、
前記帯状体上にて、隣り合う吸収体間に前記レッグ開口部となる透孔を開設する工程と、
前記帯状体の幅方向の中心線を折り目として、前記吸収体が内側となるように前記帯状体を２つ折りにする工程と、
該２つ折りにされた帯状体を、隣り合う吸収体の中間部にて、該帯状体の長手方向に直交する面内にて接合する工程と、
該接合された帯状体の側部どうしを切断する工程とを有する、着用物品の製造方法。
【請求項８】
外包シートを有し、該外包シートには、内側が装着者の腰部に接するサイドパネルが設けられ、該外包シートの内側には長尺の吸収体が設けられ、前記サイドパネルに請求項１乃至３の何れかに記載の複合伸縮部材が用いられた着用物品の製造方法であって、
前記吸収体を複数用意し、且つ外包シートとなる帯状体を用意する工程と、
各吸収体の長手方向を前記帯状体の長手方向に向ける工程と、
前記帯状体の側部に、該複合伸縮部材を複数且つ互いに前記吸収体の長手方向の長さ以上の間隔を開けて接合するとともに、該帯状体上にて該複合伸縮部材の内側に、前記複数の吸収体本体を互いに離間した状態で接合する工程と、
前記複合伸縮部材の幅方向に沿って、前記帯状体及び複合伸縮部材を、該複合伸縮部材の長手方向の中心部を通るように切断する工程と、
前記外包シートの長手方向の中心線を折り目として、切断した前記帯状体を２つ折りにして、重なった複合伸縮部材の側部どうしを接合する工程とを有する、着用物品の製造方法。
【発明の詳細な説明】
【技術分野】
【０００１】
本発明は、長尺の２枚のシート材を、該長手方向を揃えて重ね、両シート材の長手方向に沿って延びた弾性部材を両シート材間に挟んで形成される複合伸縮部材、該複合伸縮部材の製造方法、該複合伸縮部材を用いたおむつ等の着用物品及び該着用物品の製造方法に関する。
【背景技術】
【０００２】
おむつのウエスト回り等に用いる複合伸縮部材として、特許文献１に開示されたものがある。これは、不織布等からなる長尺のシート材を、長手方向を揃えて２枚重ね、両シート材の長手方向に沿って延びた糸ゴム等の弾性部材を両シート材間に挟んで形成される。両シート材は、該シート材の長手方向及び該長手方向に直交する向きに沿って、間欠的に熱融着される。弾性部材は両シート材の熱融着部を通らない。即ち、熱融着部は弾性部材を避けるように設けられる。
【先行技術文献】
【特許文献】
【０００３】
【特許文献１】特許第３８８３５３０号
【発明の概要】
【発明が解決しようとする課題】
【０００４】
特許文献１に記載された複合伸縮部材にあっては、両シート材を互いに熱融着する。しかし、熱融着は周面にパターン状の突起を有し、高温に加熱されたロール間で挟持・加圧して行われるが、蛇行した伸縮部材が突起に接触すると、熱や圧力により弾性部材が切断される可能性がある。よって、弾性部材が不用意に切断されないよう、複雑な制御が必要となり、設備が高価なものとなる。さらに熱融着では、シート材を融点まで加熱するために所定の時間が必要となり、生産性向上のための高速化を実現できない。【０００５】
本発明の目的は、弾性部材を両シート材間に挟み両シート材を接合して形成される複合伸縮部材において、製造効率が高く、且つ弾性部材が切断される可能性が少ない複合伸縮部材を提供することにある。
【課題を解決するための手段】
【０００６】
複合伸縮部材は、長尺の２枚のシート材を、長手方向を揃えて重ね、両シート材の長手方向に沿って延びた複数本の弾性部材を互いに略平行に両シート材間に挟んで形成される。両シート材は、該シート材の長手方向に直交する向きに沿って連続的に塗布されたホットメルト材からなる複数の接合部にて互いに接合され、該接合部は前記複数本の弾性部材を通り、両シート材上にて隣り合う前記接合部間には、前記弾性部材の収縮作用によって、該シート材の長手方向に直交し前記複数本の弾性部材に亘って延びた複数本の襞が形成されている。
【発明の効果】
【０００７】
両シート材の接合部はホットメルト材から形成されている。ここで、接合部をホットメルト材から形成することにより、２枚のシート材を両面から熱融着用ロ−ルにて挟持し加圧する必要がなく、弾性部材が熱や加圧で切断される可能性は少なくなる。また、シート材を融点まで加熱するための時間を必要とせず、生産の高速化を図ることができる。【０００８】
更に、接合部を形成するホットメルト材はシート材の長手方向に直交する方向に沿って塗布されるが、ホットメルト材が弾性部材に触れても、弾性部材を切断するおそれが少ない。このため、弾性部材を避けながら、ホットメルト材を間欠的に塗布する必要はない。従って、ホットメルト材はシート材の長手方向に直交する方向に沿って連続的に塗布されるから、ホットメルト材の塗布作業性が向上する。また、ホットメルト材は連続的に塗布されるのであるから、接合部が弾性部材を避けるように、両シート材が間欠的に接合された複合伸縮部材に比して接合強度が強くなる。
【図面の簡単な説明】
【０００９】
【図１】本発明の実施形態に係る複合伸縮部材の斜視図である。
【図２】図１をＡ方向から見た図である。
【図３】図１の平面図である。
【図４】複合伸縮部材の製造工程を示す図である。
【図５】ホットメルト材を塗布する装置を示す図である。
【図６】おむつの斜視図である。
【図７】(a)、(b)は、図６のおむつを展開して、肌面側から見た平面図である。
【図８】第１の横流れタイプのおむつの製造工程を示す平面図である。
【図９】縦流れタイプのおむつの製造工程を示す平面図である。
【図１０】テープ型のおむつの平面図である。
【図１１】フラップを分解した平面図である。
【図１２】第２の横流れタイプのおむつの製造工程を示す平面図である。
【図１３】非収縮領域を設けたおむつを非肌面側から見た平面図である。
【図１４】図１３に示す非収縮領域を形成するための塗布ロールの斜視図である。
【図１５】複合伸縮部材の分解断面図である。
【図１６】複合伸縮部材の断面図である。
【発明を実施するための形態】
【００１０】
以下、本発明の実施形態について、図面を用いて説明する。
【００１１】
図１は本発明の実施形態に係る複合伸縮部材の斜視図であり、図２は図１をＡ方向から見た図、図３は図１の平面図である。複合伸縮部材１は、長尺のシート材２、２aを長手方向(図１のＸ方向)を揃えて２枚重ね、両シート材２、２aの長手方向に沿って延びた複数本の弾性部材３を、互いに略平行に両シート材２、２a間に挟んで形成される。両シート材２、２aは、例えば不織布から構成され、弾性部材３は例えばゴム糸等の紐状体から構成される。両シート材２、２aは、該シート材２、２aの長手方向に直交する向き(図１のＹ方向)に沿って延びた線状の接合部４にて接合される。複数本の弾性部材３は接合部４を通る、即ち、接合部４にてシート材２、２a上に固定される。
【００１２】
接合部４は互いに略平行且つ等間隔となるようにシート材２、２aの長手方向に沿って複数設けられている。複合伸縮部材１にＸ方向に沿う引張り力が加わらない状態においては、弾性部材３上にて隣り合う接合部４間には、凸状の襞４０が形成される。襞４０はシート材２、２aの長手方向に沿って等間隔に複数設けられ、Ｘ方向に沿って伸縮する。襞４０は弾性部材３が収縮して、シート材２、２aが変形することによって形成される。
【００１３】
接合部４は、一方のシート材２上にＹ方向に沿って連続的に塗布されるホットメルト材から構成される。ホットメルト材は所定温度で溶融し、この溶融状態にて用いられて、両シート材２、２aを接合する。ホットメルト材は、塗布されたシート上では比較的低温になるので、弾性部材３はホットメルト材による熱を受けても切断される可能性は少ない。複数本の弾性部材３は、長手方向の両端部においてもホットメルト材にて、両シート材２、２aに固定されている。
【００１４】
本実施形態の複合伸縮部材１にあっては、複数の襞４０が形成されているから、シート材２の厚み方向にボリュームが出る。また襞４０の内側は空気であるから、襞４０に触れた際の感触は柔らかい。従って、肌触りが良く且つクッション性に富み、後記するように、該複合伸縮部材１はおむつのウエスト回りに適する。
【００１５】
接合部４がＹ方向に沿って連続的に延び且つＸ方向に沿って等間隔に形成されているから、複数の襞４０はＹ方向に沿って延び、且つＸ方向に沿って等間隔に形成される。このため、見た目が美しくなる。仮に、接合部４を弾性部材３に沿って(即ち、Ｘ方向に)スパイラル状に連続的に形成した場合は、襞４０の頂部は、接合部４と弾性部材３とが交差する箇所において凹む、即ち襞４０はＹ方向に沿って真っ直ぐ連続的に延びない。これでは、見た目の美しさが損なわれるのみならず、襞４０が凹凸状であるから、外力を受けた際の変形量が少なくなる。これでは、肌触りの柔軟性が損なわれる。故に、襞４０がＹ方向沿って連続的に延びるように形成している。
【００１６】
両シート材２、２aに用いる不織布としては、見た目の美しさ及び肌触りの良さの観点から、エアースルー不織布、スパンレース不織布、スパンボンド不織布、メルトブローン不織布等が用いられる。勿論、他の不織布を用いても良い。更に、２枚のシート材２、２aのうち一方のシート材と他方のシート材とでは、形成材料が同じでも異なっていてもよい。
【００１７】
また、弾性部材３はスチレン―ブタジエン、ブタジエン、イソプレン、ネオプレン等の合成ゴム、天然ゴム、伸縮性ポリオレフィン、ポリウレタンを挙げることができる。また、弾性部材３は糸ゴムのみならず、平ゴム等の紐状体であれば良く、断面が矩形、正方形、円形、多角形の何れであってもよい。
【００１８】
更に、ホットメルト材とは、熱可塑性高分子樹脂、粘着付与剤、粘度調整剤、酸化防止剤、熱安定剤、紫外線吸収剤、充填剤、可塑剤等を組成とした混練物で、溶剤を含まない接着剤である。ホットメルト材を構成する熱可塑性高分子樹脂には、オレフィン系、ゴム系、ポリアミド系、ポリエステル系の弾性樹脂が挙げられ、これらを単体でもしくは複数をブレンドして用いられる。
【００１９】
(複合伸縮部材の製造方法)
上記の複合伸縮部材１は、例えば以下の方法により、製造することが出来る。先ず、図４に示すように、加熱したホットメルト材を一方のシート材２の長手方向(Ｘ方向)に直交する方向(Ｙ方向)に沿って直線状に連続して塗布する。これにより、接合部４が形成される。接合部４はシート材２の長手方向に亘って、互いに等間隔且つ略平行となるように複数形成される。シート材２の長手方向の両端部にも、ホットメルト材を塗布する。
【００２０】
次に、ホットメルト材が塗布された一方のシート材２上に、複数本の弾性部材３を夫々伸長状態で互いに平行となるように配置する。即ち、各弾性部材３は弾性に抗して引き伸ばされた状態で、シート材２上に配置される。
【００２１】
次に、他方のシート材２aをホットメルト材が塗布されたシート材２上に重ね合わせ、シート材２、２aの全面に亘って軽く押圧する。すると、接合部４によって両シート材２、２a及び弾性部材３が接着される。シート材２の長手方向の両端部にも、ホットメルト材が塗布されているから、弾性部材３の両端部が両シート材２、２aの両端部に固定される。両シート材２、２aの接合後に、弾性部材３を引き伸ばしていた力を解放すると、弾性部材３が収縮して、両シート材２、２aが変形し、シート材２、２a上にて隣り合う接合部４間に複数の襞４０が形成される。
【００２２】
尚、一方のシート材２上にホットメルト材を塗布する前に、伸長状態にある複数本の弾性部材３を載置し、次に該シート材２上に弾性部材３の上からホットメルト材を塗布してもよい。
【００２３】
前記の如く、シート上に塗布されたホットメルト材は熱融着時の温度よりも比較的低温であるから、弾性部材が接合部に触れても、接合時の熱で切断される可能性は少なくなる。また、接合部をホットメルト材から形成することにより、２枚のシート材を両面から熱融着用ロ−ルにて挟持し加圧する必要がない。この点でも、弾性部材が熱や圧力で切断される可能性は少なくなる。
【００２４】
更に、接合部を形成するホットメルト材はシート材の長手方向に直交する方向に沿って塗布されるが、ホットメルト材が弾性部材に触れても、弾性部材を切断するおそれが少ない。このため、弾性部材を避けながら、ホットメルト材を間欠的に塗布する必要はない。従って、ホットメルト材はシート材の長手方向に直交する方向に沿って連続的に塗布されるから、ホットメルト材の塗布作業性が向上する。また、ホットメルト材は連続的に塗布されるのであるから、接合部が弾性部材を避けるように、両シート材が間欠的に接合された複合伸縮部材に比して接合強度が強くなる。
【００２５】
隣り合う接合部４間のピッチが短ければ、襞４０の見映えが良くなるとともに、複合伸縮部材１の伸縮性も良くなる。しかし、接合部４間のピッチを短くするように、手作業でホットメルト材を塗布するのは困難である。そこで図５に示す塗布装置７を用いて、ホットメルト材を塗布する方法が考えられる。
【００２６】
該塗布装置７は、周面が互いに接する主動ロール７０と従動ロール７１、周面が該従動ロール７１の周面に接する塗布ロール７２、該塗布ロール７２に接して塗布ロール７２との間でシート材２を搬送する補助ロール７３を備える。塗布ロール７２の周面には、塗布ロール７２の回転中心軸に沿って延びた突条７４が等間隔に設けられている。隣り合う突条７４間のピッチは、接合部４間のピッチに等しく設けられている。主動ロール７０と従動ロール７１との当接部分には、ホットメルト材が供給される貯留部７５が形成される。
【００２７】
主動ロール７０が回転すると、従動ロール７１と塗布ロール７２が回転し、貯留部７５に供給されたホットメルト材が従動ロール７１を介して、塗布ロール７２の突条７４にホットメルト材が付着する。塗布ロール７２と補助ロール７３とが回転してシート材２を搬送すると、塗布ロール７２の突条７４上のホットメルト材がシート材２に塗布される。突条７４は等間隔に形成されているから、シート材２上に線状の接合部４が等間隔に形成される。前記の如く、該シート材２に弾性部材３を載置し、他方のシート材２aを重ねれば、複合伸縮部材１が完成する。
【００２８】
(複合伸縮部材を用いたおむつ)
前記複合伸縮部材１は、幼児用おむつ等の着用物品に用いられる。図６は、該幼児用おむつ５の斜視図であり、図７(a)、(b)は、該おむつ５を展開した平面図である。おむつ５は、所謂パンツ型であって、２つ折りにしてサイドシール部５１を接合することにより、内側が装着者の胴部に接するウエスト開口部５２、装着者の脚が挿入される一対のレッグ開口部５３が形成される。前記ウエスト開口部５２は、通気性の外包シート５０の長手方向の両端部を重ねて形成され、該外包シート５０の内側であって、レッグ開口部５３及びサイドシール部５１の間には、装着者の尿を吸収する長尺の吸収体６が設けられている。外包シート５０は不織布製であるが、通気性且つ熱融着性であれば、材質は問わない。
【００２９】
おむつ５の展開状態で、外包シート５０の両側縁には円弧状の切欠き５４が形成され、外包シート５０の長手方向の両端部が重なった状態で、該切欠き５４はレッグ開口部５３を構成する。吸収体６は長手方向を外包シート５０の長手方向に向け、外包シート５０は吸収体６の非肌接触面に接合される。即ち、おむつ５の展開状態で、吸収体６は長手方向を装着者の前後に向けている。尚、吸収体６上に内包シート(図示せず)を被せ、外包シー５０と内包シートとで、吸収体６を包んでも良い。
【００３０】
吸収体６は、吸収性ポリマーの粒子及び繊維材料から構成される吸収性コアを薄手の包装紙で包んで構成される公知の構成である。また、吸収体６には、肌接触面側に液透過性表面シートと非肌接触面側に液不透過性裏面シートとを備え、尿等が吸収体６の外に漏れることを防ぐカフと呼ばれる防漏壁が設けられるが、公知の構成であり、その説明及び図示を省略する。
【００３１】
おむつ５には、図７(a)に示すように、前記複合伸縮部材１により外包シート５０にウエストギャザー及び/胴回りギャザーを構成したタイプと、図７(b)に示すように、前記複合伸縮部材１を外包シート５０の短手方向の両端部に設けられるサイドパネル５５として胴回りギャザーを構成したタイプとがある。説明の便宜上、以下の記載では、図７(a)に示すタイプのおむつ５を横流れタイプ、図７(b)に示すタイプのおむつ５を縦流れタイプと呼ぶ。尚、両タイプのおむつ５とも切欠き５４の周縁部に複合伸縮部材１を設け、レッグ開口部５３に公知のレッグギャザー(図６のＧ３)を設けても良い。
【００３２】
横流れタイプのおむつ５は、複合伸縮部材１を横幅全体に設けているから、横方向の伸縮性がよい。従って、ウエスト開口部５２を横に引っ張れば、ウエスト開口部５２を大きくすることができ、装着者にはかせ易いとのメリットがある。
【００３３】
しかし、おむつ５は幼児用であるから、外包シート５０上にて両レッグ開口部５３の間、又はサイドシール部５１の間で、特に吸収体の非肌面側に、漫画のキャラクタ等の図柄を描くことがある。横流れタイプのおむつ５は、複合伸縮部材１が横方向に伸縮するから、該複合伸縮部材１の付近では、この図柄が収縮されて判りにくい。
【００３４】
これに対し、縦流れタイプのおむつ５は、複合伸縮部材１を吸収体６の両側に位置して装着者の腰部に接するサイドパネル５５として設けているから、吸収体６の非肌面上に描かれた図柄があまり収縮せず判り易いとのメリットがある。即ち、横流れタイプのおむつ５も縦流れタイプのおむつ５も夫々に長所と短所とがある。以下に、両タイプのおむつの製造方法を示す。
【００３５】
(第１の横流れタイプのおむつの製造方法)
図８は、第１の横流れタイプのおむつの製造工程を示す平面図である。先ず吸収体６を横方向に連ねた第１帯状体８と、横方向に延びた不織布製の帯である第２帯状体８０を用意する。該第２帯状体８０は、少なくともその両端部が前述した製造方法により製造された複合伸縮部材１の連続体であり、外包シート５０となるものである。両帯状体８、８０は第２帯状体８０の長手方向に沿う搬送方向Ｘに沿って搬送される。第２帯状体８０の幅は、吸収体６の長さＬよりも大きい。製造工程は、ステージ１からステージ６にて構成される。
【００３６】
第１帯状体８は、ステージ１にて次々に切断されて、夫々長さＬの吸収体６に分割される。各吸収体６はステージ２へ搬送される。ステージ２にて、吸収体６はドラム(図示せず)に載置されてドラムの回転搬送中に９０°又は２７０°回転される。
【００３７】
ステージ３にて、第２帯状体８０上に複数の吸収体６を互いに一定距離だけ搬送方向に離間させて載置し、これをホットメルト材や熱融着等にて第２帯状体８０に接合する。この後に、吸収体６を覆うように、第２帯状体８０上に内包シートを被せてもよい。
【００３８】
ステージ４にて、隣り合う吸収体６間に、レッグ開口部５３となる縦長楕円形の透孔２０を開設する。この後、第２帯状体８０を幅方向の中心線Ｃを折り目として、吸収体６が内側となるように２つ折りにする。ステージ５にて、２つ折りにされた第２帯状体８０を、隣り合う吸収体６の中間部にて、サイドシール部５１を熱融着等で接合する。その後、ステージ６にて第２帯状体８０の長手方向に直交する方向Ｋに沿って切断し、サイドシール部５１が固定された状態のおむつ５を得る。
【００３９】
(縦流れタイプのおむつの製造方法)
図９は、縦流れタイプのおむつ５の製造工程を示す平面図である。先ず吸収体６を搬送方向に連ねた第１帯状体８と、搬送方向に延びた不織布製の帯である第２帯状体８０を用意する。該第２帯状体８０が外包シート５０となる。両帯状体８、８０は搬送方向Ｘに沿って搬送される。製造工程は、ステージ１からステージ４にて構成される。
【００４０】
第１帯状体８は、ステージ１にて次々に切断されて、夫々長さＬの吸収体６に分割される。各吸収体６はステージ２へ搬送される。
【００４１】
ステージ２にて、第２帯状体８０の両側部に、所定長さの複合伸縮部材１が、第２帯状体８０の長手方向に沿って等間隔に接合される。隣り合う複合伸縮部材１の中心部間の距離Ｌ１は、吸収体６の長さＬよりも長い。この後に、第２帯状体８０上にて隣り合う複合伸縮部材１の間に、吸収体６を載置し、これを第２帯状体８０に接合する。この後に、吸収体６を覆うように、第２帯状体８０上に内包シートを被せてもよい。
【００４２】
次に、複合伸縮部材１の幅方向に沿って、第２帯状体８０及び複合伸縮部材１を、複合伸縮部材１の長手方向の中心部Ｋ１を通るように切断し、ステージ３に示すように、開いた状態のおむつ５を得る。
【００４３】
ステージ４にて、個別に切断されて形成された外包シート５０の長手方向の中心線を折り目として、切断した第２帯状体８０を２つ折りにして、重なった複合伸縮部材１の側部どうしを接合して、縦流れタイプのおむつ５が完成する。
【００４４】
上記の記載では、パンツ型のおむつ５の製造工程を記載したが、該おむつ５をテープ型として製造することもできる。テープ型のおむつ５とは、図１０に示すように、製造工程時に外包シート５０のサイドシール部５１を熱融着せず、展開した状態で使用するものである。テープ型のおむつ５は、装着者の股間部に吸収体６を当てて、装着者の脚部を切欠き５４の外に出した後に、外包シート５０を２つ折りにして装着者に装着される。前身頃又は後身頃の少なくともいずれか一方における幅方向両側部には、幅方向の伸縮性を有し、他方身頃の非肌面と係合可能なメカニカルファスナー（図示せず）を備えたフラップ９が接着されており、外包シート５０が２つ折りにされた状態で、フラップ９を他方身頃の非肌面上両側部に止着することができる。これは、パンツ型のおむつ５に比べて、装着者の胴回りによりフィットさせることができる点で有効である。
【００４５】
このとき、フラップ９は図１１に示すように、幅方向に伸縮性を有する２枚のフラップ用シート９０の間に、ポリウレタン等からなる紐状弾性部材９１を複数挟み込んで形成さた複合伸縮部材１を用いることが出来る。また、ウエスト開口部周縁の幅方向に沿って、複合伸縮部材１を設けてもよい。
【００４６】
(第２の横流れタイプのおむつの製造方法)
図１２は、第２の横流れタイプのおむつの製造工程を示す図であり、該製造工程はステージ１からステージ３にて構成される。先ずステージに示すように、前述した製造方法により製造された複合伸縮部材１を搬送方向に連ねた連続体である第３帯状体８１を一対用意する。第３帯状体８１の幅は、吸収体の長さＬよりも短い。両第３帯状体８１を互いに平行に置き、吸収体６を長手方向が第３帯状体８１の長手方向に直交するように、両第３帯状体８１に跨って置く。複数の吸収体６を搬送方向に離間して置いた後、両第３帯状体８１の長手方向に沿う外側縁を折り曲げて、吸収体６の長手方向の両端部に重ねる。
【００４７】
次にステージ２に示すように、隣り合う吸収体６間に、レッグ開口部５３となる透孔２１を開設してもよい。両第３帯状体８１が互いに離間しているから、該透孔２１を開設する際に、第３帯状体８１を切断する量は、非常に少なくなる。これにより、図８に示す製造工程に比して帯状体の材料ロスを低減することができる。この後、第３帯状体８１を幅方向の中心線Ｃを折り目として、吸収体６が内側となるように２つ折りにする。この後、ステージ３に示すように、第３帯状体８１を長手方向に直交する方向Ｋに沿って溶着・切断し、サイドシール部５１(図６参照)が固定されたおむつ５を得る。
【００４８】
(横流れタイプのおむつの変形例)
図１３に示すように、複合収縮部材１上にて吸収体６が重なる部分に、弾性部材３の収縮力が生じない非収縮領域ＲＹを設けてもよい。これにより、吸収体６の非肌面に設けられる図柄が収縮せず、見易くなる。
【００４９】
この非収縮領域ＲＹは、弾性部材３を設けない空き領域として形成することができる。具体的には、複合伸縮部材１からなる外包材５０を形成した後、吸収体６を配置する前に、複合伸縮部材１の吸収体が重なる部位を加圧又は加熱することにより、弾性部材３の長手方向中間部における収縮力を除去して、非伸縮領域ＲＹを形成することができる。このとき、加圧又は加熱するための手段としては、軸方向及び/又は周方向に沿って間隔を開けて所定パターン状に設けられた突起や刃物を周面に有するロール（図示せず）を用いてもよい。当該ロール及び当該ロールと対向するロールとの間において、複合伸縮部材１を加圧又は加熱して、弾性部材３を細かく切断することにより、実質的に収縮力を除去するのが望ましい。
【００５０】
また、弾性部材３を設けているが、吸収体６が配置される部位における弾性部材３をシート材２、２aに接合しない非接合領域を形成し、複合伸縮部材１の非接合領域を加熱又は加圧して弾性部材３を切断し、幅方向両側に向けてスナップバックさせることによっても非収縮領域ＲＹを形成することができる。
【００５１】
前記の如く、弾性部材３にホットメルト材を塗布するのには、図５に示す塗布装置７を用いる。このときに、図１４に示すように、塗布ロール７２上に突条７４を形成しない突条空き区域ＫＹを形成すれば、該突条空き区域ＫＹにはホットメルト材が塗布されないから、複合収縮部材１上に非接合領域を形成することができる。
【００５２】
また、複合伸縮部材１を加熱又は加圧して弾性部材３を切断する場合、複合伸縮部材１の非肌面側よりも、肌面側から加熱又は加圧するのが望ましい。肌面側から加熱又は加圧をして弾性部材３を切断し、弾性部材３の収縮力を除去することにより、吸収体６を配置する部位が平滑となり、吸収体６を確実に接合することができる。
【００５３】
上記実施形態では、複合伸縮部材１を用いた着用物品として、幼児用おむつを例示したが、これに限定されるものではなく、例えば大人用おむつであってもよい。また、着用物品は、生理用ショーツ等であってもよい。
【００５４】
図１５は、複合伸縮部材１の分解断面図である。弾性部材３は引き伸ばされた状態である。図１５に示すように、ホットメルト材が等ピッチに塗布され、接合部４の幅Ｔが０．５〜１．５ｍｍ、隣合う接合部４間の間隔Ｗが３〜１０ｍｍ、好ましくは４〜８ｍｍであり、シート材２，２ａが不織布である複合伸縮部材１は、おむつ等の着用物品に好適に用いることができる。
【００５５】
図１６の断面図は、上記寸法の複合伸縮部材１の断面を模式的に示している。複合伸縮部材１は、ホットメルト材が塗布された一方のシート材２と他方のシート材２ａとの外観を比較すると、前者は、襞２ｓと、襞２ｓの間の部分２ｐとが明瞭に区別でき、襞２ｓが同じ形状に整然と形成されているのに対し、後者は、襞２ｔと、襞２ｔの間の部分２ｑとの境界があいまいであり、襞２ｔの形状にばらつきがある。これは、ホットメルト材が塗布された直後は比較的高温であるためホットメルト材が一方の不織布のシート材２の内部に入り込むが、他方の不織布のシート材２ａが接着されるときには温度が低下しているので、ホットメルト材は他方の不織布のシート材２ａの表面に接着するだけであることが一因と考えられる。
【００５６】
このような複合伸縮部材１を着用物品に用いる場合、ホットメルト材を塗布した側の不織布のシート材２を着用物品の非肌面側に用いることで、外観の優れた着用物品が得られ、逆にホットメルト材２を着用物品の肌側に用いることで通気性の良い着用物品が得られる。
【産業上の利用可能性】
【００５７】
本発明による複合伸縮部材は、おむつ等の着用物品に使用すると、有用である。
【符号の説明】
【００５８】
１    複合伸縮部材
２，２ａ    シート材
２ｓ，２ｔ  襞
２ｐ，２ｑ  襞の間の部分
３    弾性部材
４    接合部
５    おむつ
６    吸収体
４０  襞
【図１】
2014010340.tif 000003
【図２】
2014010340.tif 000004
【図３】
2014010340.tif 000005
【図４】
2014010340.tif 000006
【図５】
2014010340.tif 000007
【図６】
2014010340.tif 000008
【図７】
2014010340.tif 000009
【図８】
2014010340.tif 000010
【図９】
2014010340.tif 000011
【図１０】
2014010340.tif 000012
【図１１】
2014010340.tif 000013
【図１２】
2014010340.tif 000014
【図１３】
2014010340.tif 000015
【図１４】
2014010340.tif 000016
【図１５】
2014010340.tif 000017
【図１６】
2014010340.tif 000018
【手続補正書】
【提出日】平成26年12月13日(2014.12.13)
【手続補正１】
【補正対象書類名】明細書
【補正対象項目名】００４９
【補正方法】変更
【補正の内容】
【００４９】
この非収縮領域ＲＹは、弾性部材３を設けない空き領域として形成することができる。具体的には、複合伸縮部材１からなる外包材を形成した後、吸収体６を配置する前に、複合伸縮部材１の吸収体が重なる部位を加圧又は加熱することにより、弾性部材３の長手方向中間部における収縮力を除去して、非伸縮領域ＲＹを形成することができる。このとき、加圧又は加熱するための手段としては、軸方向及び/又は周方向に沿って間隔を開けて所定パターン状に設けられた突起や刃物を周面に有するロール（図示せず）を用いてもよい。当該ロール及び当該ロールと対向するロールとの間において、複合伸縮部材１を加圧又は加熱して、弾性部材３を細かく切断することにより、実質的に収縮力を除去するのが望ましい。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
長尺の２枚のシート材を、長手方向を揃えて重ね、両シート材の長手方向に沿って延びた複数本の弾性部材を互いに略平行に両シート材間に挟んで形成される複合伸縮部材であって、
両シート材は、該シート材の長手方向に直交する向きに沿って連続的に塗布されたホットメルト材からなる複数の接合部にて互いに接合され、該接合部は前記複数本の弾性部材を通り、
両シート材上にて隣り合う前記接合部間には、前記弾性部材に引張り力が加わらない状態において、該シート材の長手方向に直交し前記複数本の弾性部材に亘って延びた複数本の襞が形成されている、複合伸縮部材。
【請求項２】
前記複数の接合部は、互いに略平行となるように設けられた、請求項１に記載の複合伸縮部材。
【請求項３】
前記複数本の弾性部材は、長手方向の両端部が前記両シート材に固定されている、請求項１又は２に記載の複合伸縮部材。
【請求項４】
長尺の２枚のシート材と、両シート材の長手方向に沿って延びた複数本の弾性部材を用意し、一方のシート材上に、該シート材の長手方向に直交する向きに沿ってホットメルト材を連続的に塗布し、接合部を形成する工程と、
伸長状態の複数本の弾性部材を該一方のシート材の長手方向に向け、該弾性部材が接合部を通るように、該一方のシート材上に載置する工程と、
該一方のシート材上に他方のシート材を、長手方向を揃えるように重ねて、前記両シート材を接合する工程と、
前記複数本の弾性部材を引き伸ばしていた力を解放し、両シート材上にて隣り合う前記接合部間に、該シート材の長手方向に直交し前記複数本の弾性部材に亘って延びた複数本の襞を形成する工程と、
を含む、複合伸縮部材の製造方法。
【請求項５】
周縁部内側が装着者の胴回りに接するウエスト開口部を有する着用物品であって、
請求項１乃至３の何れかに記載の複合伸縮部材を、前記ウエスト開口部及び/又は胴回り部の周縁部に設けてウエストギャザー及び/又は胴回りギャザーを構成し、
前記複合伸縮部材の前記両シート材のうち一方のシート材の外観は、他方のシート材の外観よりも、前記襞と、前記襞の間の部分との区別が明瞭であり、前記一方のシート材が非肌面側に用いられた、着用物品。
【請求項６】
内側が装着者の腰部に接するサイドパネルを有する着用物品であって、
前記サイドパネルとして、請求項１乃至３の何れかに記載の複合伸縮部材を、用いて胴回りギャザーを構成し、
前記複合伸縮部材の前記両シート材のうち一方のシート材の外観は、他方のシート材の外観よりも、前記襞と、前記襞の間の部分との区別が明瞭であり、前記一方のシート材が非肌面側に用いられた、着用物品。
【請求項７】
外包シートを有し、該外包シートには装着者の脚が挿入されるレッグ開口部と、周縁部内側が装着者の胴部に接するウエスト開口部とが設けられ、該外包シートの内側には長尺の吸収体が設けられ、前記ウエスト開口部及び/又は胴回り部の周縁部に請求項１乃至３の何れかに記載の複合伸縮部材が用いられた着用物品の製造方法であって、
前記吸収体を複数用意し、且つ外包シートとなる帯状体を用意する工程と、
各吸収体の長手方向を帯状体の長手方向に直交するように向ける工程と、
該複合伸縮部材の前記両シート材のうち一方のシート材の外観は、他方のシート材の外観よりも、前記襞と、前記襞の間の部分との区別が明瞭であり、前記帯状体の少なくとも両側部は、該複合伸縮部材により、前記一方のシート材が非肌面側に用いられるように形成されるとともに、該帯状体の内側に、前記複数の吸収体本体を互いに離間した状態で接合する工程と、
前記帯状体上にて、隣り合う吸収体間に前記レッグ開口部となる透孔を開設する工程と、
前記帯状体の幅方向の中心線を折り目として、前記吸収体が内側となるように前記帯状体を２つ折りにする工程と、
該２つ折りにされた帯状体を、隣り合う吸収体の中間部にて、該帯状体の長手方向に直交する面内にて接合する工程と、
該接合された帯状体の側部どうしを切断する工程とを有する、着用物品の製造方法。
【請求項８】
外包シートを有し、該外包シートには、内側が装着者の腰部に接するサイドパネルが設けられ、該外包シートの内側には長尺の吸収体が設けられ、前記サイドパネルに請求項１乃至３の何れかに記載の複合伸縮部材が用いられた着用物品の製造方法であって、
前記吸収体を複数用意し、且つ外包シートとなる帯状体を用意する工程と、
各吸収体の長手方向を前記帯状体の長手方向に向ける工程と、
該複合伸縮部材の前記両シート材のうち一方のシート材の外観は、他方のシート材の外観よりも、前記襞と、前記襞の間の部分との区別が明瞭であり、前記帯状体の側部に、前記一方のシート材が非肌面側に用いられるように、該複合伸縮部材を複数且つ隣り合う該複合伸縮部材の中心部間の距離を前記吸収体の長さよりも長くして接合するとともに、該帯状体上にて該複合伸縮部材の内側に、前記複数の吸収体本体を互いに離間した状態で接合する工程と、
前記複合伸縮部材の幅方向に沿って、前記帯状体及び複合伸縮部材を、該複合伸縮部材の長手方向の中心部を通るように切断する工程と、
前記外包シートの長手方向の中心線を折り目として、切断した前記帯状体を２つ折りにして、重なった複合伸縮部材の側部どうしを接合する工程とを有する、着用物品の製造方法。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
周縁部内側が装着者の胴回りに接するウエスト開口部を有する着用物品であって、
複合伸縮部材が、前記ウエスト開口部及び/又は胴回り部の周縁部に設けられて、ウエストギャザー及び/又は胴回りギャザーが構成され、
前記複合伸縮部材は、
長手方向を揃えて重ねられた長尺の２枚のシート材と、
ホットメルト材からなり、両シート材の長手方向に直交する向きに沿って連続的に前記両シート材を互いに接合する接合部と、
前記両シート材間に配置され、前記接合部を通り、前記両シート材の長手方向に沿って互いに略平行に延びる複数本の弾性部材と、
を有し、
前記両シート材上にて隣り合う前記接合部間には、前記弾性部材に引張り力が加わらない状態において、前記両シート材の長手方向に直交し前記複数本の弾性部材に亘って延びた複数本の襞が形成され、
前記複合伸縮部材の前記両シート材のうち一方のシート材の外観は、他方のシート材の外観よりも、前記襞と、前記襞の間の部分との区別が明瞭であり、前記一方のシート材が非肌面側に用いられた、着用物品。
【請求項２】
内側が装着者の腰部に接するサイドパネルを有する着用物品であって、
前記サイドパネルとして複合伸縮部材が用いられて、胴回りギャザーが構成され、
前記複合伸縮部材は、
長手方向を揃えて重ねられた長尺の２枚のシート材と、
ホットメルト材からなり、両シート材の長手方向に直交する向きに沿って連続的に前記両シート材を互いに接合する接合部と、
前記両シート材間に配置され、前記接合部を通り、前記両シート材の長手方向に沿って互いに略平行に延びる複数本の弾性部材と、
を有し、
前記両シート材上にて隣り合う前記接合部間には、前記弾性部材に引張り力が加わらない状態において、前記両シート材の長手方向に直交し前記複数本の弾性部材に亘って延びた複数本の襞が形成され、
前記複合伸縮部材の前記両シート材のうち一方のシート材の外観は、他方のシート材の外観よりも、前記襞と、前記襞の間の部分との区別が明瞭であり、前記一方のシート材が非肌面側に用いられた、着用物品。
【請求項３】
外包シートを有し、該外包シートには装着者の脚が挿入されるレッグ開口部と、周縁部内側が装着者の胴部に接するウエスト開口部とが設けられ、該外包シートの内側には長尺の吸収体が設けられ、前記ウエスト開口部及び/又は胴回り部の周縁部に複合伸縮部材が用いられた着用物品の製造方法であって、
前記複合伸縮部材は、
長手方向を揃えて重ねられた長尺の２枚のシート材と、
ホットメルト材からなり、両シート材の長手方向に直交する向きに沿って連続的に前記両シート材を互いに接合する接合部と、
前記両シート材間に配置され、前記接合部を通り、前記両シート材の長手方向に沿って互いに略平行に延びる複数本の弾性部材と、
を有し、
前記両シート材上にて隣り合う前記接合部間には、前記弾性部材に引張り力が加わらない状態において、前記両シート材の長手方向に直交し前記複数本の弾性部材に亘って延びた複数本の襞が形成され、
前記吸収体を複数用意し、且つ外包シートとなる帯状体を用意する工程と、
各吸収体の長手方向を帯状体の長手方向に直交するように向ける工程と、
該複合伸縮部材の前記両シート材のうち一方のシート材の外観は、他方のシート材の外観よりも、前記襞と、前記襞の間の部分との区別が明瞭であり、前記帯状体の少なくとも両側部は、該複合伸縮部材により、前記一方のシート材が非肌面側に用いられるように形成されるとともに、該帯状体の内側に、前記複数の吸収体本体を互いに離間した状態で接合する工程と、
前記帯状体上にて、隣り合う吸収体間に前記レッグ開口部となる透孔を開設する工程と、
前記帯状体の幅方向の中心線を折り目として、前記吸収体が内側となるように前記帯状体を２つ折りにする工程と、
該２つ折りにされた帯状体を、隣り合う吸収体の中間部にて、該帯状体の長手方向に直交する面内にて接合する工程と、
該接合された帯状体の側部どうしを切断する工程とを有する、着用物品の製造方法。
【請求項４】
外包シートを有し、該外包シートには、内側が装着者の腰部に接するサイドパネルが設けられ、該外包シートの内側には長尺の吸収体が設けられ、前記サイドパネルに複合伸縮部材が用いられた着用物品の製造方法であって、
前記複合伸縮部材は、
長手方向を揃えて重ねられた長尺の２枚のシート材と、
ホットメルト材からなり、両シート材の長手方向に直交する向きに沿って連続的に前記両シート材を互いに接合する接合部と、
前記両シート材間に配置され、前記接合部を通り、前記両シート材の長手方向に沿って互いに略平行に延びる複数本の弾性部材と、
を有し、
前記両シート材上にて隣り合う前記接合部間には、前記弾性部材に引張り力が加わらない状態において、前記両シート材の長手方向に直交し前記複数本の弾性部材に亘って延びた複数本の襞が形成され、
前記吸収体を複数用意し、且つ外包シートとなる帯状体を用意する工程と、
各吸収体の長手方向を前記帯状体の長手方向に向ける工程と、
該複合伸縮部材の前記両シート材のうち一方のシート材の外観は、他方のシート材の外観よりも、前記襞と、前記襞の間の部分との区別が明瞭であり、前記帯状体の側部に、前記一方のシート材が非肌面側に用いられるように、該複合伸縮部材を複数且つ隣り合う該複合伸縮部材の中心部間の距離を前記吸収体の長さよりも長くして接合するとともに、該帯状体上にて該複合伸縮部材の内側に、前記複数の吸収体本体を互いに離間した状態で接合する工程と、
前記複合伸縮部材の幅方向に沿って、前記帯状体及び複合伸縮部材を、該複合伸縮部材の長手方向の中心部を通るように切断する工程と、
前記外包シートの長手方向の中心線を折り目として、切断した前記帯状体を２つ折りにして、重なった複合伸縮部材の側部どうしを接合する工程とを有する、着用物品の製造方法。
【手続補正３】
【補正対象書類名】明細書
【補正対象項目名】０００６
【補正方法】変更
【補正の内容】
【０００６】
複合伸縮部材は、長尺の２枚のシート材を、長手方向を揃えて重ね、両シート材の長手方向に沿って延びた複数本の弾性部材を互いに略平行に両シート材間に挟んで形成される。両シート材は、該シート材の長手方向に直交する向きに沿って連続的に塗布されたホットメルト材からなる複数の接合部にて互いに接合され、該接合部は前記複数本の弾性部材を通り、両シート材上にて隣り合う前記接合部間には、前記弾性部材の収縮作用によって、該シート材の長手方向に直交し前記複数本の弾性部材に亘って延びた複数本の襞が形成されている。
（１）本発明は、以下のように構成された着用物品を提供する。
周縁部内側が装着者の胴回りに接するウエスト開口部を有する着用物品である。複合伸縮部材が、前記ウエスト開口部及び/又は胴回り部の周縁部に設けられて、ウエストギャザー及び/又は胴回りギャザーが構成される。前記複合伸縮部材は、（ａ）長手方向を揃えて重ねられた長尺の２枚のシート材と、（ｂ）ホットメルト材からなり、両シート材の長手方向に直交する向きに沿って連続的に前記両シート材を互いに接合する接合部と、（ｃ）前記両シート材間に配置され、前記接合部を通り、前記両シート材の長手方向に沿って互いに略平行に延びる複数本の弾性部材と、を有する。前記両シート材上にて隣り合う前記接合部間には、前記弾性部材に引張り力が加わらない状態において、前記両シート材の長手方向に直交し前記複数本の弾性部材に亘って延びた複数本の襞が形成される。前記複合伸縮部材の前記両シート材のうち一方のシート材の外観は、他方のシート材の外観よりも、前記襞と、前記襞の間の部分との区別が明瞭であり、前記一方のシート材が非肌面側に用いられる。
（２）また、本発明は、以下のように構成されて着用物品を提供する。
内側が装着者の腰部に接するサイドパネルを有する着用物品である。前記サイドパネルとして複合伸縮部材が用いられて、胴回りギャザーが構成される。前記複合伸縮部材は、
（ａ）長手方向を揃えて重ねられた長尺の２枚のシート材と、（ｂ）ホットメルト材からなり、両シート材の長手方向に直交する向きに沿って連続的に前記両シート材を互いに接合する接合部と、（ｃ）前記両シート材間に配置され、前記接合部を通り、前記両シート材の長手方向に沿って互いに略平行に延びる複数本の弾性部材と、を有する。前記両シート材上にて隣り合う前記接合部間には、前記弾性部材に引張り力が加わらない状態において、前記両シート材の長手方向に直交し前記複数本の弾性部材に亘って延びた複数本の襞が形成される。前記複合伸縮部材の前記両シート材のうち一方のシート材の外観は、他方のシート材の外観よりも、前記襞と、前記襞の間の部分との区別が明瞭であり、前記一方のシート材が非肌面側に用いられる。
（３）また、本発明は、以下のように構成された着用物品の製造方法を提供する。
外包シートを有し、該外包シートには装着者の脚が挿入されるレッグ開口部と、周縁部内側が装着者の胴部に接するウエスト開口部とが設けられ、該外包シートの内側には長尺の吸収体が設けられ、前記ウエスト開口部及び/又は胴回り部の周縁部に複合伸縮部材が用いられた着用物品の製造方法である。前記複合伸縮部材は、（ａ）長手方向を揃えて重ねられた長尺の２枚のシート材と、（ｂ）ホットメルト材からなり、両シート材の長手方向に直交する向きに沿って連続的に前記両シート材を互いに接合する接合部と、（ｃ）前記両シート材間に配置され、前記接合部を通り、前記両シート材の長手方向に沿って互いに略平行に延びる複数本の弾性部材と、を有する。前記両シート材上にて隣り合う前記接合部間には、前記弾性部材に引張り力が加わらない状態において、前記両シート材の長手方向に直交し前記複数本の弾性部材に亘って延びた複数本の襞が形成される。着用物品の製造方法は、（ｉ）前記吸収体を複数用意し、且つ外包シートとなる帯状体を用意する工程と、（ii）各吸収体の長手方向を帯状体の長手方向に直交するように向ける工程と、
（iii）該複合伸縮部材の前記両シート材のうち一方のシート材の外観は、他方のシート材の外観よりも、前記襞と、前記襞の間の部分との区別が明瞭であり、前記帯状体の少なくとも両側部は、該複合伸縮部材により、前記一方のシート材が非肌面側に用いられるように形成されるとともに、該帯状体の内側に、前記複数の吸収体本体を互いに離間した状態で接合する工程と、（iv）前記帯状体上にて、隣り合う吸収体間に前記レッグ開口部となる透孔を開設する工程と、（ｖ）前記帯状体の幅方向の中心線を折り目として、前記吸収体が内側となるように前記帯状体を２つ折りにする工程と、（vi）該２つ折りにされた帯状体を、隣り合う吸収体の中間部にて、該帯状体の長手方向に直交する面内にて接合する工程と、（vii）該接合された帯状体の側部どうしを切断する工程と、を有する。
（４）また、本発明は、以下のように構成された着用物品の製造方法を提供する。
外包シートを有し、該外包シートには、内側が装着者の腰部に接するサイドパネルが設けられ、該外包シートの内側には長尺の吸収体が設けられ、前記サイドパネルに複合伸縮部材が用いられた着用物品の製造方法である。前記複合伸縮部材は、（ａ）長手方向を揃えて重ねられた長尺の２枚のシート材と、（ｂ）ホットメルト材からなり、両シート材の長手方向に直交する向きに沿って連続的に前記両シート材を互いに接合する接合部と、（ｃ）前記両シート材間に配置され、前記接合部を通り、前記両シート材の長手方向に沿って互いに略平行に延びる複数本の弾性部材と、を有する。前記両シート材上にて隣り合う前記接合部間には、前記弾性部材に引張り力が加わらない状態において、前記両シート材の長手方向に直交し前記複数本の弾性部材に亘って延びた複数本の襞が形成される。着用物品の製造方法は、（ｉ）前記吸収体を複数用意し、且つ外包シートとなる帯状体を用意する工程と、（ii）各吸収体の長手方向を前記帯状体の長手方向に向ける工程と、（iii）該複合伸縮部材の前記両シート材のうち一方のシート材の外観は、他方のシート材の外観よりも、前記襞と、前記襞の間の部分との区別が明瞭であり、前記帯状体の側部に、前記一方のシート材が非肌面側に用いられるように、該複合伸縮部材を複数且つ隣り合う該複合伸縮部材の中心部間の距離を前記吸収体の長さよりも長くして接合するとともに、該帯状体上にて該複合伸縮部材の内側に、前記複数の吸収体本体を互いに離間した状態で接合する工程と、（iv）前記複合伸縮部材の幅方向に沿って、前記帯状体及び複合伸縮部材を、該複合伸縮部材の長手方向の中心部を通るように切断する工程と、（ｖ）前記外包シートの長手方向の中心線を折り目として、切断した前記帯状体を２つ折りにして、重なった複合伸縮部材の側部どうしを接合する工程と、を有する。
【国際調査報告】
2014010340.tif 000019
2014010340.tif 000020
2014010340.tif 000021
2014010340.tif 000022
2014010340.tif 000023
2014010340.tif 000024